(57)【要約】【課題】ＷＣＤＭＡシステムにおけるダウンリンク及びアップリンクのカバレッジバランスの可否を確認するリンクバランス確認方法を提供する。【解決手段】本発明によるリンクバランス確認方法は、基地局から受信したシステム情報を用いて最小受信信号コード電力値を設定する段階と、設定された最小受信信号コード電力値に対応して通信端末から基地局に電波が伝達される最大端末送信電力値を設定する段階と、設定された最小受信信号コード電力値及び最大端末送信電力値を演算してダウンリンク及びアップリンクのカバレッジに異常があるか否かを確認するためのリンクバランス確認指数の基準値を設定する段階と、通信端末で受信信号コード電力値及び端末送信電力値を測定する段階と、測定された受信信号コード電力値及び端末送信電力値を用いて上述した演算と同様に演算した値とリンクバランス確認指数の基準値とを比較してダウンリンク及びアップリンクのカバレッジバランスの可否を確認する段階と、を含む。【選択図】図１
2010537544.tif 000002
【特許請求の範囲】
【請求項１】
リンクバランス確認装置が、移動通信システムにおけるダウンリンク及びアップリンクのカバレッジバランスの可否を確認するリンクバランス確認方法であって、
（ａ）基地局から受信したシステム情報を用いて最小受信信号コード電力値を設定する段階と、
（ｂ）前記設定された最小受信信号コード電力値に対応して通信端末から前記基地局に電波が伝達される最大端末送信電力値を設定する段階と、
（ｃ）前記設定された最小受信信号コード電力値及び前記最大端末送信電力値を演算して、ダウンリンク及びアップリンクのカバレッジに異常があるか否かを確認するためのリンクバランス確認指数の基準値を設定する段階と、
（ｄ）前記通信端末で受信信号コード電力値及び端末送信電力値を測定する段階と、
（ｅ）測定された受信信号コード電力値及び端末送信電力値を用いて前記演算と同様に演算された値と前記リンクバランス確認指数の基準値とを比較して前記ダウンリンク及びアップリンクのカバレッジバランスの可否を確認する段階と、を含むリンクバランス確認方法。
【請求項２】
前記（ｃ）段階において、
前記リンクバランス確認指数の基準値が、前記設定された最小受信信号コード電力値と前記最大端末送信電力値との合算により設定されることを特徴とする請求項１に記載のリンクバランス確認方法。
【請求項３】
前記（ｅ）段階は、
前記演算された値が前記リンクバランス確認指数の基準値より大きい場合、アップリンクのカバレッジがダウンリンクのカバレッジよりも大きいと確認し、前記演算された値が前記リンクバランス確認指数の基準値より小さい場合、アップリンクのカバレッジがダウンリンクのカバレッジよりも小さいと確認することを特徴とする請求項１に記載のリンクバランス確認方法。
【請求項４】
前記（ｅ）段階の後に、
前記ダウンリンク及びアップリンクのカバレッジバランスの可否に対するリンクバランス状態情報を前記移動通信システムの運用装置に伝達する段階をさらに含むことを特徴とする請求項１に記載のリンクバランス確認方法。
【請求項５】
移動通信システムにおけるダウンリンク及びアップリンクのカバレッジバランスの可否を確認する装置であって、
基地局から受信したシステム情報を用いて設定された通信端末の最小受信信号コード電力値と前記最小受信信号コード電力値に対応して前記通信端末から前記基地局に電波が伝達される端末送信電力値である最大端末送信電力値とを用いてダウンリンク及びアップリンクのカバレッジに異常があるか否かを確認するためのリンクバランス確認指数の基準値を設定するリンクバランス確認指数の基準値設定部と、
前記通信端末で測定された受信信号コード電力値及び端末送信電力値を測定するパラメータ算出部と、
前記測定された受信信号コード電力値及び端末送信電力値を演算した値と前記リンクバランス確認指数の基準値とを比較して前記通信端末の所属するセルのダウンリンク及びアップリンクのカバレッジバランスの可否を確認するリンクバランス確認部と、を含むリンクバランス確認装置。
【請求項６】
前記確認された前記通信端末の所属するセルのダウンリンク及びアップリンクのカバレッジバランスの可否に対するリンクバランス状態情報を前記移動通信システムの運用装置に伝達するリンクバランス状態情報伝送部をさらに含むことを特徴とする請求項５に記載のリンクバランス確認装置。
【発明の詳細な説明】
【技術分野】
【０００１】
本発明は、リンクバランス確認装置及びその確認方法に関するもので、より詳細には、移動通信サービスを提供するセル（ｃｅｌｌ）のダウン（Ｄｏｗｎ）及びアップ（Ｕｐ）リンクのカバレッジ（ｃｏｖｅｒａｇｅ）に対するバランスを確認するリンクバランス確認装置及びその確認方法に関する。
【背景技術】
【０００２】
基地局と各通信端末との間の距離及び電波伝送経路はそれぞれ異なる。したがって、遠隔地の通信端末から基地局への信号は電界が弱い。さらに、遠隔地の通信端末から基地局への信号は、電界の強い近距離の通信端末から基地局への信号から大きな干渉を受けている。これを遠近問題（Ｎｅａｒ／Ｆａｒ  Ｐｒｏｂｌｅｍ）という。
【０００３】
このような遠近問題は、基地局が各通信端末から受信する信号の電界を同じレベルに維持することにより解決可能である。そして、この状態（各通信端末から受信する信号の電界を同じレベルに維持する状態）で、最大チャンネル容量が得られる。最大チャンネル容量を得るために、通信端末は移動に応じて送信電力を変化させなければならない。
送信電力制御とは、移動無線チャンネル環境下で電波の干渉を最小化してシステムの性能を向上させるための方法を意味する。送信電力制御は、開ループ電力制御と閉ループ電力制御に分けられる。
【０００４】
開ループ電力制御（Ｏｐｅｎ  Ｌｏｏｐ  Ｐｏｗｅｒ  Ｃｏｎｔｒｏｌ）は通信端末の最初送信出力を最小化するために基地局と通信端末との間の距離に反比例して通信端末の出力を増減させることである。
【０００５】
具体的に、通信端末は、受信したダウン電力を測定する。そして、通信端末は、測定されたダウン電力に基づいてアップ送信電力を決定する。このようにして、通信端末は以後の送信電力を閉ループ電力制御により調節することができる。
【０００６】
閉ループ電力制御（Ｃｌｏｓｅｄ  Ｌｏｏｐ  Ｐｏｗｅｒ  Ｃｏｎｔｒｏｌ）は通話中の通信端末の出力を最小化してアップ通話容量を最大化することである。
【０００７】
具体的に、通信端末が受信Ｅｂ／Ｎｏ値を基地局に報知する。以後、基地局は報知された受信Ｅｂ／Ｎｏ値を基準値と比較して一定時間ごとに電力制御の増減命令を発生する。通信端末は、基地局からの電力制御命令に応じて送信電力を調節し、開ループ電力制御の誤差を修正する。
【０００８】
上述した方法により、基地局は全ての端末のアップチャンネル電力を調節して適切な通話品質と容量の最大化を同時に得ることができる。
【０００９】
ＣＤＭＡ（Ｃｏｄｅ  Ｄｉｖｉｓｉｏｎ  Ｍｕｌｔｉ−Ａｃｃｅｓｓ）システムにはＴｘ−Ａｄｊｕｓｔという値が存在する。Ｔｘ−Ａｄｊｕｓｔは、運用者がリンクバランスの可否を確認するのに用いられる値である。Ｔｘ−Ａｄｊｕｓｔは、該当セルのダウンリンクに対する相対的なアップリンクの状態を示す。したがって、運用者はＴｘ−Ａｄｊｕｓｔにより該当セルのカバレッジの品質状態を予測することができる。例えば、ダウンリンクのゲイン（Ｇａｉｎ）が１００であり、アップリンクのゲインが９５である場合を仮定する。この場合、Ｔｘ−Ａｄｊｕｓｔは、＋５と表記される。これにより、アップリンクのゲイン不足による通話不良率が５％と予測される。
【００１０】
通常、良好なセルカバレッジとは、アップリンクカバレッジがダウンリンクカバレッジより大きくなければならない。これは、該セルから提供される移動通信サービスの通話不良率が低くなければならないからである。そのため、Ｔｘ−Ａｄｊｕｓｔは、（−）値を維持することが一般的である。Ｔｘ−Ａｄｊｕｓｔが０である場合は、アップリンク及びダウンリンクのカバレッジが一致するといえる。
【００１１】
一方、ＷＣＤＭＡ（Ｗｉｄｅ  Ｃｏｄｅ  Ｄｉｖｉｓｉｏｎ  Ｍｕｌｔｉ  Ａｃｃｅｓｓ）システムでは、ＣＤＭＡシステムとは異なり、Ｔｘ−Ａｄｊｕｓｔ値が定義されていない。したがって、該当セルのダウンリンクに対する相対的なアップリンクの状態を確認するためのリンクバランス確認方法が定義されていないため、リンクバランスを把握することが容易でないという問題があった。
【発明の概要】
【発明が解決しようとする課題】
【００１２】
こうした従来技術の問題点に鑑み、本発明は、移動通信システムにおいて、移動通信サービスを提供するセルのダウンリンク及びアップリンクのカバレッジを容易に点検して、異常があるか否かを把握することができるリンクバランス確認方法及び装置を提供することを目的とする。
【００１３】
また、本発明の他の目的は、セルのダウンリンク及びアップリンクのカバレッジに異常があるか否かを把握して基地局又は中継器の受信端における劣化及び経路損失に対する点検が可能となり、運用装備を容易に運用したり、問題を解決（ｔｒｏｕｂｌｅｓｈｏｏｔｉｎｇ）したりすることができるリンクバランス確認方法及び装置を提供することにある。
【課題を解決するための手段】
【００１４】
本発明の一実施形態によれば、リンクバランス確認方法が提供される。本発明の一実施例によるリンクバランス確認方法は、（ａ）基地局から受信したシステム情報を用いて最小受信信号コード電力（Ｒｅｃｅｉｖｉｎｇ  Ｓｉｇｎａｌ  Ｃｏｄｅ  Ｐｏｗｅｒ；ＲＳＣＰ）値を設定する段階と、（ｂ）上記設定された最小受信信号コード電力値に対応して通信端末から上記基地局に電波が伝達される最大端末送信（Ｔｘ−Ｐｏｗｅｒ）値を設定する段階と、（ｃ）上記設定された最小受信信号コード電力値及び上記最大端末送信電力値を演算して、ダウンリンク及びアップリンクのカバレッジに異常があるか否かを確認するためのリンクバランス確認指数の基準値を設定する段階と、（ｄ）上記通信端末で受信信号コード電力値及び端末送信電力値を測定する段階と、（ｅ）測定された受信信号コード電力値及び端末送信電力値を用いて上記演算と同様に演算された値と上記リンクバランス確認指数の基準値とを比較して、上記ダウンリンク及びアップリンクのカバレッジバランスの可否を確認する段階と、を含む。
【００１５】
本発明の他の実施形態によれば、リンクバランス確認装置が提供される。本発明の一実施例によるリンクバランス確認装置は、基地局から受信されたシステム情報を用いて設定された通信端末の最小受信信号コード電力値と上記最小受信信号コード電力値に対応して上記通信端末から上記基地局に電波が伝達される端末送信電力値である最大端末送信電力値とを用いて、ダウンリンク及びアップリンクのカバレッジに異常があるか否かを確認するためのリンクバランス確認指数の基準値を設定するリンクバランス確認指数の基準値設定部と、上記通信端末で測定された受信信号コード電力値及び端末送信電力値を測定するパラメータ算出部と、上記測定された受信信号コード電力値及び端末送信電力値を演算した値と上記リンクバランス確認指数の基準値とを比較して、上記通信端末の所属するセルのダウンリンク及びアップリンクのカバレッジバランスの可否を確認するリンクバランス確認部と、を含む。
【図面の簡単な説明】
【００１６】
【図１】本発明の一実施例によるリンクバランス確認装置を説明するための図面である。
【図２】本発明の一実施例によるリンクバランス確認方法を説明するための図面である。
【図３】本発明の一実施例によるリンクバランス確認指数及びシステム情報メッセージを用いたネットワーク状態を説明するための図面である。
【発明を実施するための形態】
【００１７】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。
【００１８】
「第１」、「第２」などの用語は、多様な構成要素を説明するために用いられるに過ぎなく、上記構成要素が上記用語により限定されるものではない。上記用語は一つの構成要素を他の構成要素から区別する目的だけに用いられる。例えば、本発明の権利範囲内における第１構成要素は第２構成要素であると命名されることができ、同様に第２構成要素も第１構成要素であると命名されることができる。「及び／又は」という用語は、複数の関連のある記載項目の組合又は複数の関連のある記載項目のうち何れかの項目を含む。
その他、定義しない限り、技術的又は科学的な用語を含んで、ここで用いられる全ての用語は、本発明が属する技術分野で通常の知識を有する者であれば一般的に理解される用語と同一の意味を有する。一般的に用いられる予め定義しているような用語は、関連技術の文脈上の意味と一致する意味を有すると解釈すべきで、本願で明らかに定義しない限り、理想的又は過度に形式的な意味として解釈しない。
【００１９】
以下、添付図面を参照しながら、本発明による実施例を詳細に説明する。本明細書及び図面において、実質的に同一の機能構成を有する構成要素については、同一の図面符号を付することにより重複説明を省略する。本発明の説明において、係る公知技術に対する具体的な説明が本発明の要旨をかえって不明瞭にすると判断される場合、その詳細な説明を省略する。
【００２０】
図１は本発明の一実施例によるリンクバランス確認装置の構成ブロック図である。
【００２１】
図１を参照すると、リンクバランス確認装置１００は、リンクバランス確認指数の基準値設定部１１０、パラメータ算出部１２０、リンクバランス確認部１３０、及びリンクバランス状態情報伝送部１４０を含む。
【００２２】
本発明によるリンクバランス確認装置１００は通信端末２００に含まれることができる。ここで、通信端末２００は、ＷＣＤＭＡフォンのように移動通信網を用いて通信を行う端末であってもよく、あるいは移動通信サービスの運用を測定するための測定装置であってもよい。
【００２３】
リンクバランス確認指数の基準値設定部１１０は、リンクバランス確認指数の基準値を設定する。ここで、リンクバランス確認指数の基準値は、該セルのダウンリンク及びアップリンクのカバレッジバランスを確認するために設定する基準値である。
【００２４】
先ず、リンクバランス確認指数の基準値設定部１１０は、該セルの基地局３００から受信したシステム情報を用いて最小受信信号コード電力値を設定する。
【００２５】
本明細書において、最小受信信号コード電力値とは通信端末２００が基地局３００から電波を受信できない程度の受信信号コード電力値をいう。また、最小受信信号コード電力値は、通信端末２００が基地局３００の通話圏から離脱される程度（以下、通話圏離脱程度ともいう）の受信信号コード電力値をいう。
【００２６】
本発明において、最小受信信号コード電力値は運用者やサービス提供者により様々に設定することができる。但し、本明細書では理解や説明の便宜のために、最小受信信号コード電力値を、通信端末２００が基地局３００の通話圏から離脱される程度の受信信号コード電力値とする場合を代表例として説明する。
【００２７】
通話圏から離脱される程度の最小受信信号コード電力値は、システムが決定するパラメータにより定義される。ＷＣＤＭＡシステムにおいて、通話圏から離脱される程度の最小受信信号コード電力値を算出するための通話圏離脱程度を定義するシステムパラメータは、例えば、ＳＩＢ（Ｓｙｓｔｅｍ  ｉｎｆｏｒｍａｔｉｏｎ  Ｂｌｏｃｋ）３である。
【００２８】
通話圏離脱程度の最小受信信号コード電力値は、サービス事業者が定めた該パラメータ（例えば、ｑ−ＲｘｌｅｖＭｉｎ、ｄｅｌｔａＱｒｘｌｅｖｍｉｎ）によるダウンリンクのカバレッジを変更することにより変更可能である。
【００２９】
以後、リンクバランス確認指数の基準値設定部１１０は、通信端末２００が通話圏離脱程度の際の通信端末２００の最大送信電力値を算出する。
【００３０】
ここで、最大送信電力値は、最小受信信号コード電力値に対応して通信端末２００から基地局３００に電波が伝達される端末送信電力値である。ここで、端末２００の送信電力値算出は３ＧＰＰ標準に定義されている初期パワー設定計算式である下記の一般式（１）を用いることができる。
【００３１】
【数１】
2010537544.tif 000003
【００３２】
ここで、Ｐｒｉｍａｒｙ  ＣＰＩＣＨ  ＤＬ  Ｔｘ  Ｐｏｗｅｒは、基地局３００から送信される共通パイロットチャンネル（Ｃｏｍｍｏｎ  Ｐｉｌｏｔ  Ｃｈａｎｎｅｌ）の送信電力値であり、ＣＰＩＣＨ＿ＲＳＣＰは、端末２００で受信した共通パイロットチャンネルの受信信号コード電力値であり、ＵＬ  ｉｎｔｅｒｆｅｒｅｎｃｅはアップリンクの干渉値であり、Ｃｏｎｓｔａｎｔ  Ｖａｌｕｅは基地局３００の受信端から必要とされる雑音信号以下の最小限の信号レベルである。また、Ｃｏｎｓｔａｎｔ  Ｖａｌｕｅはリンクバランスのために、アップリンク上の基地局３００で端末２００の送信出力値を設定するために必要な値である。このとき、端末２００の送信出力値は、基地局３００で復調（ｄｅｍｏｄｕｌａｔｉｏｎ）を行った後に設定されたＢＬＥＲ（エラー率）を満足させるように設定される。Ｃｏｎｓｔａｎｔ  Ｖａｌｕｅは下記の一般式（２）で定義される。
【００３３】
【数２】
2010537544.tif 000004
Ｐｒｏｃｅｓｓｉｎｇ  Ｇａｉｎは、周波数帯域範囲に対するデータ伝送効率の比率値であって、下記の一般式（３）により算出可能である。
【００３４】
【数３】
2010537544.tif 000005
【００３５】
ここで、Ｗは周波数帯域範囲（Ｂａｎｄｗｉｄｔｈ）を示し、Ｒはデータ伝送率（Ｄａｔａ  Ｒａｔｅ）を示し、Ｒｅｑｕｉｒｅｄ  Ｅｂ／Ｎｏはシステム及び端末２００を具体化する際に必要な基底帯域（Ｂａｓｅｂａｎｄ）信号上のビット当たりのエネルギーであり、Ｍａｒｇｉｎはシステム及び端末２００を具体化する際に必要な基底帯域信号上のビット当たりのエネルギーに対する余裕（ｍａｒｇｉｎ）であり、Ｂｅｔａ  Ｒａｔｉｏはユーザのデータとシグナルデータとの電力比較値を示し、アップＲｅｑｕｉｒｅｄ  ＳＩＲは、アウターループ電力制御（Ｏｕｔｅｒ  Ｌｏｏｐ  Ｐｏｗｅｒ  Ｃｏｎｔｒｏｌ）上におけるターゲットＢＬＥＲを満足させるための無線環境上の雑音対比信号レベル値である。
【００３６】
上述した一般式（１）から一般式（３）は、いずれも３ＧＰＰ標準で規定されているもので、当業者にとって自明なことであるため、これに対する詳しい説明は省略する。
【００３７】
本発明によれば、一般式（１）で算出される端末のＴｘ−ＰｏｗｅｒはＣｏｎｓｔａｎｔ  Ｖａｌｕｅが考慮された値であって、すべて理想値であると仮定する。
【００３８】
例えば、通信端末２００の通話圏離脱程度が−１１９ｄＢｍであり、そのときの端末２００のＴｘ−Ｐｏｗｅｒが２４ｄＢｍであるとすれば、リンクバランス確認指数の基準値は０と設定され得る。
【００３９】
最小受信信号コード電力値は、サービス事業者が定めた該パラメータにより変更することができ、最大端末送信電力値もパラメータを変更することにより変更可能である。
このとき、下記の表１のようなテーブルを作成することができる。
【００４０】
【表１】
2010537544.tif 000006
【００４１】
例えば、通話圏離脱程度の受信信号コード電力値が−１１５ｄＢｍである場合を仮定する。この場合、移動通信システムの運用者は−１１５ｄＢｍにおける端末のＴＸ−Ｐｏｗｅｒを２４にマッピングし、１ｄＢずつ低下させて別途のシステムをセットすることができる。
【００４２】
リンクバランス確認指数の基準値設定部１１０は、算出された最小受信信号コード電力値と最大端末送信電力値を演算してリンクバランス確認指数の基準値を設定する。
ここで、リンクバランス確認指数の基準値は該セルのダウンリンク及びアップリンクのカバレッジに異常があるか否かを確認（すなわち、ダウンリンク及びアップリンクのカバレッジバランスの可否を確認）するための基準値である。
【００４３】
リンクバランス確認指数の基準値設定部１１０は、例えば、下記の一般式（４）に示すように、最小受信信号コード電力値と最大端末送信電力値とを合算してＳＵＭを算出し、算出したＳＵＭとリンクバランス確認指数の基準値を比較することができる。
【００４４】
【数４】
2010537544.tif 000007
【００４５】
【表２】
2010537544.tif 000008
【００４６】
ここで、リンクバランス確認指数の基準値は、表２に示すように、ＳＵＭ値の−９５に対応するリンクバランス確認指数０である。
【００４７】
あるいは、リンクバランス確認指数の基準値設定部１１０は、例えば、下記一般式（５）によりリンク確認指数の基準値を設定することができる。
【００４８】
【数５】
2010537544.tif 000009
【００４９】
ここで、Ｏｆｆｓｅｔ（回帰定数）は、最大端末送信電力（ＵＥ  Ｔｘ  Ｐｏｗｅｒ）値と最小受信信号コード電力値との合算に対応するリンクバランス確認指数の基準値を算出するための定数である。上述した表では、Ｏｆｆｓｅｔが＋９５であってもよい。リンクバランスを確認するためのＯｆｆｓｅｔが７６に固定されているＣＤＭＡシステムとは異なり、ＷＣＤＭＡシステムにおけるＯｆｆｓｅｔは流動的である。
【００５０】
ここで、ｑ＿ｒｘｌｅｖＭｉｎ、ｄｅｌｔａ  ｑ＿ｒｘｌｅｖＭｉｎ、ＵＥ＿Ｍａｘｉｍｕｍ  ＰＷＲは、通信端末に設定されたパラメータである。ｑ＿ｒｘｌｅｖＭｉｎは基地局から受信する信号の品質（Ｑｕａｌｉｔｙ）を保障するための最小端末受信電力値で、セル選択（Ｃｅｌｌ  Ｓｅｌｅｃｔｉｏｎ）が可能となる時点での値である。ｄｅｌｔａ  ｑ＿ｒｘｌｅｖＭｉｎは、ｑ＿ｒｘｌｅｖＭｉｎの拡張値で、１つのオフセット値である。
【００５１】
パラメータ算出部１２０は通信端末２００で受信信号コード電力値及びこれに対応する端末送信電力値を測定する。
【００５２】
リンクバランス確認部１３０は、パラメータ算出部１２０で測定した受信信号コード電力値及びこれに対応する端末送信電力値を演算してリンクバランス確認指数の基準値と比較する。そして、リンクバランス確認部１３０は通信端末２００の所属するセルのダウンリンク及びアップリンクのカバレッジバランスの可否を確認する。
【００５３】
リンクバランス確認部１３０は、パラメータ算出部１２０で測定した受信信号コード電力値及びこれに対応する端末送信電力値の合算値を表２で調べ、該ＳＵＭに対応するリンクバランス確認指数を確認する。
【００５４】
リンクバランス確認部１３０は、確認したリンクバランス確認指数が「＋」である場合は該セルのダウンリンクのカバレッジがアップリンクのカバレッジよりも相対的に小さいことを確認でき、「−」である場合は該セルのダウンリンクのカバレッジがアップリンクのカバレッジよりも相対的に大きいことを確認できる。
【００５５】
リンクバランス状態情報伝送部１４０は、確認されたリンクバランス確認指数をシステム運用装置（図示せず）に提供する。
【００５６】
上述したように、リンクバランス確認指数が確認されれば、移動通信システムの無線運用者はダウンリンクのカバレッジ及びアップリンクのカバレッジに異常があるか否かを確認することができる。そして、運用者は後続に中継器のゲインリセット（Ｒｅ−Ｓｅｔｔｉｎｇ）、ダウンリンク及びアップリンクの点検などを行うことができる。また、これは無線測定装置と通信端末２００のデバッグスクリーン（Ｄｅｂｕｇ  Ｓｃｒｅｅｎ）に適用することができる。
【００５７】
図２は、本発明の一実施例によるリンクバランス確認装置のリンクバランス確認方法を説明するための図面である。
【００５８】
図２を参照すると、ステップＳ２１０で、リンクバランス確認装置１００は基地局３００から受信されたシステム情報を用いて端末２００の通話圏離脱程度の最小受信信号コード電力値を設定する。
【００５９】
ここで、通話圏離脱程度とは、上記通信端末２００が上記基地局３００から電波を受信できない程度をいう。
【００６０】
ステップＳ２２０で、リンクバランス確認装置１００は設定された最小受信信号コード電力値に対応して端末２００から基地局３００に電波が伝達される最大端末送信電力値を設定する。
【００６１】
ステップＳ２３０で、リンクバランス確認装置１００は、設定された最小受信信号コード電力値及び上記最大端末送信電力値を演算してリンクバランス確認指数の基準値を設定する。ここで、リンクバランス確認指数はダウンリンク及びアップリンクのカバレッジに異常があるか否か（バランスの可否）の確認に用いられる。
【００６２】
例えば、リンクバランス確認装置１００は、設定された最小受信信号コード電力値と上記最大端末送信電力値を合算してリンクバランス確認指数の基準値を設定することができる。
【００６３】
ステップＳ２４０で、リンクバランス確認装置１００は端末２００で受信信号コード電力値及び端末送信電力値を測定する。
【００６４】
ステップＳ２５０で、リンクバランス確認装置１００は測定された受信信号コード電力値及び端末送信電力値を上述した演算と同様に演算する。そして、リンクバランス確認装置１００は演算された値と設定されたリンクバランス確認指数の基準値とを比較してダウンリンク及びアップリンクのカバレッジバランスの可否を確認する。
【００６５】
リンクバランス確認装置１００は上記測定された受信信号コード電力値及び端末送信電力値を合算し、合算された値と設定されたリンクバランス確認指数の基準値とを比較して通信端末２００の所属するセルのダウンリンク及びアップリンクのカバレッジバランスの可否を確認することができる。
【００６６】
ステップＳ２６０で、リンクバランス確認装置１００は確認されたリンクバランス状態情報を移動通信システムの運用装置に伝送する。
【００６７】
移動通信システムの運用装置は、受信したリンクバランス状態情報を用いてセルのダウンリンク及びアップリンクのカバレッジに異常があるか否かを把握し、基地局３００又は中継器の受信端における劣化及び経路損失に対する点検を実施することができる。したがって、本発明によれば、運用装備を容易に運用することができ、問題を解決することができる。
【００６８】
図３は、本発明の一実施例によるリンクバランス確認指数を用いたネットワーク状態を説明するための図面である。
【００６９】
移動通信システムの運用装置はリンクバランス確認装置１００からリンクバランス状態情報を受信することができる。リンクバランス確認指数は０であることが最も理想的である。そして、リンクバランス確認指数は０よりも大きい場合と小さい場合に分けられ、それぞれの場合に応じて、図３に示すようにネットワーク状態を予測することができる。
【００７０】
図３を参照すると、リンクバランス確認指数が０よりも大きい場合、基地局３００ではアップ経路の劣化の点検が必要となり、中継器ではアップ経路の劣化の点検及びダウン経路のオーバーセット（Ｏｖｅｒ  Ｓｅｔｔｉｎｇ）の点検が必要となる。
【００７１】
リンクバランス確認指数が０よりも大きい場合は測定された通信端末２００の送信電力値が正常条件の送信電力値よりも大きくなった場合であって、これは、アップ経路、具体的に基地局の受信端が劣化されて通信端末２００が高い電力を送信し続けなければならないからである。
【００７２】
ここで、基地局３００又は中継器の運用時、リンクバランス確認指数が所定の基準値、例えば、＋１０ｄＢ以上である場合は、測定された基地局３００又は中継器が故障していると診断することができる。これは、セルエッジ（Ｃｅｌｌ  Ｅｄｇｅ）での通話を保障できないことを意味する。
【００７３】
また、リンクバランス確認指数が０よりも小さい場合は、リンクバランスのために基地局３００ではダウン経路の劣化の点検が必要となり、中継器では、ダウン経路の劣化の点検及びアップ経路のオーバーセットの点検が必要となる。
【００７４】
リンクバランス確認指数が０よりも小さい場合は測定された通信端末２００の送信電力値が正常条件の送信電力値よりも相対的に小さくなった場合であって、これは、ダウン経路、具体的に基地局３００の送信端が劣化されて通信端末２００が相対的に大きい信号を受信するからである。
【００７５】
ここで、基地局３００又は中継器の運用時、リンクバランス確認指数が所定の基準値、例えば、−１０ｄＢ以下である場合は、測定された基地局３００又は中継器が故障していると診断することができる。
【００７６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００７７】
本発明によれば、ＷＣＤＭＡシステムにおいて移動通信サービスを提供するセルのダウンリンク及びアップリンクのカバレッジを容易に点検して異常があるか否かを把握することができる。
【００７８】
また、本発明はセルのダウンリンク及びアップリンクのカバレッジに異常があるか否かを把握して、基地局又は中継器の受信端における劣化及び経路損失に対する点検が可能となり、運用装備を容易に運用することができ、問題を解決することができる。
【図１】
2010537544.tif 000010
【図２】
2010537544.tif 000011
【図３】
2010537544.tif 000012
【国際調査報告】
2010537544.tif 000013
2010537544.tif 000014